(57)【要約】【課題】本発明は、移動レンズ保持枠に逃げ溝が形成されたレンズ装置であって、衝突音や振動を発生させることなく、逃げ溝から有害光線が入射するのを防止することができるレンズ装置を提供する。【解決手段】本発明のレンズ装置は、レンズ保持枠３０のワイド端位置において、逃げ溝５２を閉鎖する遮光リング６０が設けられている。レンズ保持枠３０の逃げ溝５２をワイド端位置で閉鎖する遮蔽部６４と、遮蔽部６４にそれぞれ突設されたカムローラ６６とから構成されている。カムローラ６６は、カム筒３４のカム溝６８に係合され、カムローラ６６の上端部はカム溝６８から突出されて、固定鏡胴１２の直進溝７０に係合される。したがって、カム筒３４が回動されると、遮光リング６０は、レンズ保持枠３０、４０と連動し、カム溝６８の軌跡に沿って且つ一方端６８Ａと他方端６８Ｂとの間で前後移動するとともに、カムローラ６６がワイド端位置の一方端５８Ａに位置した際に、図７の如く遮蔽部６４がレンズ保持枠３０の逃げ溝５２に入り込む。【選択図】      図４
2006215394.tif 000002
【特許請求の範囲】
【請求項１】
鏡胴に回動自在に設けられたカム筒を回動させることにより、第１移動レンズ保持枠と第２移動レンズ保持枠とを光軸に沿って移動させるとともに、第１移動レンズ保持枠に、第２移動レンズ保持枠の一部を逃がす逃げ溝が形成されたレンズ装置において、
前記カム筒の回動により光軸に沿って移動される遮光部材を備え、前記遮光部材は、前記第１移動レンズ保持枠の前記逃げ溝を閉鎖する位置に移動されることを特徴とするレンズ装置。
【請求項２】
鏡胴と、
前記鏡胴に回動自在に設けられたカム筒と、
前記カム筒の第１カム溝に第１カム従動子を介して係合されるとともに、外周部に逃げ溝が形成された第１移動レンズ保持枠と、
前記カム筒の第２カム溝に第２カム従動子を介して係合されるとともに、前記第１移動レンズ保持枠に接近した際に第１移動レンズ保持枠の前記逃げ溝に前記第２カム従動子が位置する第２移動レンズ保持枠と、
前記カム筒の第３カム溝に第３カム従動子を介して係合されるとともに、前記第１移動レンズ保持枠の前記逃げ溝を閉鎖する位置に移動される遮光部材と、
を備えたことを特徴とするレンズ装置。
【請求項３】
前記カム筒の回動により前記遮光部材は、
前記第１移動レンズ保持枠と前記第２移動レンズ保持枠とが最も離れた位置において、前記第１移動レンズ保持枠の前記逃げ溝を閉鎖する位置に移動され、
前記第１移動レンズ保持枠と前記第２移動レンズ保持枠とが最も接近した位置において、有効光路径を確保しつつ余計な外光を遮光して前記カム筒の内面反射によるフレアを防止する位置に移動されることを特徴とする請求項１、又は２に記載のレンズ装置。
【発明の詳細な説明】
【技術分野】
【０００１】
本発明はレンズ装置に係り、特にカム筒を回動させて第１移動レンズ保持枠と第２移動レンズ保持枠とを光軸に沿って前後移動させることによりズーミングを行うレンズ装置に関する。
【背景技術】
【０００２】
ＥＮＧ（Electric News Gathering ）カメラ用のズームレンズ装置は、第１移動レンズである変倍レンズ群と、第２移動レンズであるピント補正レンズ群とによる２群の移動レンズによってズーミングを行うものが主流である。このようなズームレンズ装置の鏡胴にはカム筒が回動自在に設けられ、このカム筒には、第１移動レンズ群の保持枠（以下、第１移動レンズ保持枠という）及び第２移動レンズ群の保持枠（以下、第２移動レンズ保持枠という）に突設されたカムローラが係合されるカム溝が形成されている。また、これらのカムローラは、前記カム溝を貫通して、カム筒の外側に配置された固定筒の直進溝に係合されている。したがって、カム筒を回動させると、カム溝と直進溝とによる直進案内作用によって、第１移動レンズ保持枠及び第２移動レンズ保持枠が光軸方向に所定の起動に沿って前後移動し、焦点距離が調整される。
【０００３】
一方、撮影倍率を確保しつつレンズの光軸長を短くしてコンパクト化を図ったズームレンズ装置が知られている。このズームレンズ装置は、第１移動レンズ保持枠と第２移動レンズ保持枠とが最接近した際に、第２移動レンズ保持枠のカムローラを逃がすための逃げ溝を第１移動レンズ保持枠に形成し、第１移動レンズ保持枠と第２移動レンズ保持枠の移動ストロークを長く設定することにより撮影倍率を確保している。
【０００４】
ところで、第１移動レンズ保持枠に逃げ溝が形成されている場合、その逃げ溝に第２移動レンズ保持枠のカムローラが位置している場合は問題ないが、カムローラが逃げ溝から退避した場合には、逃げ溝から有害光線（迷光）がカメラ側に入射し、ゴーストが発生するという問題があった。
【０００５】
この問題を解決するため、特許文献１のレンズ装置では、第１移動レンズ保持枠の逃げ溝を閉鎖する遮光部材を設け、この遮光部材によって逃げ溝から有害光線がカメラ側に入射するのを防止している。また、前記遮光部材は、第１移動レンズ保持枠と第２移動レンズ保持枠とが最接近した際に、第２移動レンズ保持枠のカムローラに押されて逃げ溝から退避するとともに、カムローラが逃げ溝から退避した場合には、スプリングの付勢力によって逃げ溝を閉鎖する位置に復帰する。
【特許文献１】特開２００３−２４８１５７号公報
【発明の開示】
【発明が解決しようとする課題】
【０００６】
しかしながら、特許文献１のレンズ装置では、第２移動レンズ保持枠のカムローラが遮光部材に衝突した際に衝突音が発生するとともに振動が発生し、このレンズ装置を取り扱うカメラマンに違和感を与えるという問題があった。
【０００７】
本発明は、このような事情に鑑みてなされたもので、移動レンズ保持枠に逃げ溝が形成されたレンズ装置であって、衝突音や振動を発生させることなく、逃げ溝から有害光線が入射するのを防止することができるレンズ装置を提供することを目的としている。
【課題を解決するための手段】
【０００８】
請求項１に記載の発明は、前記目的を達成するために、鏡胴に回動自在に設けられたカム筒を回動させることにより、第１移動レンズ保持枠と第２移動レンズ保持枠とを光軸に沿って移動させるとともに、第１移動レンズ保持枠に、第２移動レンズ保持枠の一部を逃がす逃げ溝が形成されたレンズ装置において、前記カム筒の回動により光軸に沿って移動される遮光部材を備え、前記遮光部材は、前記第１移動レンズ保持枠の前記逃げ溝を閉鎖する位置に移動されることを特徴としている。
【０００９】
請求項１に記載の発明は、第１移動レンズ保持枠及び第２移動レンズ保持枠を移動させるカム筒によって遮光部材を移動させ、第１移動レンズ保持枠の逃げ溝を閉鎖するようにしたので、衝突音や振動を発生させることなく、逃げ溝から有害光線が入射するのを防止することができる。すなわち、第１移動レンズ保持枠の逃げ溝から、第２移動レンズ保持枠の一部が退避した位置であって、逃げ溝から有害光線が入射する位置に第１移動レンズ保持枠が位置した時に、同じくカム筒によって移動されてきた遮光部材が、逃げ溝を閉鎖する位置に位置する。また、請求項１では、遮光部材を共通のカム筒によって移動させたので、部品点数を大幅に増やすことなく遮光部材の移動機構を構成できる。
【００１０】
請求項２に記載の発明は、前記目的を達成するために、鏡胴と、前記鏡胴に回動自在に設けられたカム筒と、前記カム筒の第１カム溝に第１カム従動子を介して係合されるとともに、外周部に逃げ溝が形成された第１移動レンズ保持枠と、前記カム筒の第２カム溝に第２カム従動子を介して係合されるとともに、前記第１移動レンズ保持枠に接近した際に第１移動レンズ保持枠の前記逃げ溝に前記第２カム従動子が位置する第２移動レンズ保持枠と、前記カム筒の第３カム溝に第３カム従動子を介して係合されるとともに、前記第１移動レンズ保持枠の前記逃げ溝を閉鎖する位置に移動される遮光部材と、を備えたことを特徴としている。
【００１１】
請求項２に記載の発明は、請求項１に記載の発明をより具体化した発明である。請求項２に記載の発明によれば、第１移動レンズ保持枠の外周部に、第２移動レンズ保持枠の第２カム従動子が位置する逃げ溝を形成し、この逃げ溝を遮光部材によって遮蔽する。すなわち、第１移動レンズ保持枠の逃げ溝から、第２移動レンズ保持枠の第２カム従動子が退避した位置であって、逃げ溝から有害光線が入射する位置に第１移動レンズ保持枠が位置した時に、同じくカム筒によって移動されてきた遮光部材が、逃げ溝を閉鎖する位置に位置する。また、請求項２も請求項１と同様に、遮光部材を共通のカム筒によって移動させたので、部品点数を大幅に増やすことなく遮光部材の移動機構を構成できる。
【００１２】
請求項３に記載の発明は、請求項１又は２に記載の発明において、前記カム筒の回動により前記遮光部材は、前記第１移動レンズ保持枠と前記第２移動レンズ保持枠とが最も離れた位置において、前記第１移動レンズ保持枠の前記逃げ溝を閉鎖する位置に移動され、前記第１移動レンズ保持枠と前記第２移動レンズ保持枠とが最も接近した位置において、有効光路径を確保しつつ余計な外光を遮光して前記カム筒の内面反射によるフレアを防止する位置に移動されることを特徴としている。
【００１３】
請求項３の発明は、カム筒の第３カム溝によって移動される遮蔽部材の移動範囲を規定した発明であり、遮光部材は、第１移動レンズ保持枠と第２移動レンズ保持枠とが最も離れた位置において、すなわち、移動範囲の一方端位置において、第１移動レンズ保持枠の逃げ溝を閉鎖する位置に移動される。そして、第１移動レンズ保持枠と第２移動レンズ保持枠とが最も接近した位置において、すなわち、移動範囲の他方端位置において、有効光路径を確保しつつ余計な外光を遮光してカム筒の内面反射によるフレアを防止する位置に移動される。このように第３カム溝により、遮光部材の他方端位置を規定することによって、逃げ溝からの有害光線の入射を防止することはもとより、Ｆ値等を設定するための有効光路径を確保しつつ、余計な外光を遮光してカム筒の内面反射によるフレアを防止することができる。
【発明の効果】
【００１４】
以上説明したように本発明に係るレンズ装置によれば、第１移動レンズ保持枠及び第２移動レンズ保持枠を移動させるカム筒によって遮光部材を移動させ、第１移動レンズ保持枠の逃げ溝を閉鎖するようにしたので、衝突音や振動を発生させることなく、逃げ溝から有害光線が入射するのを防止することができる。また、本発明は、遮光部材を共通のカム筒によって移動させたので、部品点数を大幅に増やすことなく遮光部材の移動機構を構成できる。
【発明を実施するための最良の形態】
【００１５】
以下、添付図面に従って本発明に係るレンズ装置の好ましい実施の形態を詳説する。
【００１６】
図１は、本発明が適用されたＥＮＧカメラ用ズームレンズ装置１０の一部破断を含む側面図である。このズームレンズ装置１０の固定鏡胴１２にはフォーカスリング１４、ズームリング１６、アイリスリング１８が回動自在に設けられている。また、固定鏡胴１２内には、図１の左側からフォーカスレンズ群（図示せず）、変倍レンズ群（第１移動レンズ）２０、ピント補正レンズ群（第２移動レンズ）２２、アイリス２４、及びリレーレンズ（不図示）が順に設けられている。
【００１７】
フォーカスレンズ群は、フォーカスリング１４と一体に形成されたフォーカス鏡胴２６に支持され、フォーカス鏡胴２６は、固定鏡胴１２に固定されたレンズ鏡胴２８にヘリコイドネジ機構又はカム機構等の直進移動機構によって前後方向に移動自在に支持されている。したがって、フォーカスリング１４を介してフォーカス鏡胴２６を回動すると、フォーカスレンズ群が前後方向に移動して、フォーカス調整が行われる。ここで、前後方向の前方とは被写体側の方向を指し、後方とはカメラ側の方向を指している。
【００１８】
変倍レンズ群２０は図２、図３に示すように、レンズ保持枠３０に支持される。なお、図１、図２に示した変倍レンズ群２０の位置は、後述するカム筒３４のカム溝（第１カム溝）３６（図５参照）の一方端３６Ａによって規定されるワイド端位置であり、図３に示した位置は、カム筒３４のカム溝３６の他方端３６Ｂによって規定されるテレ端位置である。
【００１９】
図４の如くレンズ保持枠３０の外周部には、３本のカムローラ（第１カム従動子：図４では２本のみ図示）３２が等間隔に突設され、これらのカムローラ３２は図２、図５に示すカム筒３４のカム溝３６に係合される。また、カムローラ３２は、その上端部がカム溝３６から突出されて、固定鏡胴１２の内周面に形成された直進溝３８に係合される。この直進溝３８は、ズームレンズ装置１０の撮影光軸Ｐと平行に形成された溝である。
【００２０】
ピント補正レンズ群２２は、図２、図３の如くレンズ保持枠４０に支持されている。なお、図１、図２に示したピント補正レンズ群２２の位置は、カム筒３４のカム溝（第２カム溝）４６（図５参照）の一方端４６Ａによって規定されるワイド端位置であり、図３に示した位置は、カム筒３４のカム溝４６の他方端４６Ｂによって規定されるテレ端位置である。
【００２１】
レンズ保持枠４０の外周部には、図４の如く略矩形状のカムローラ取付部４２が等間隔で３箇所形成され、これらのカムローラ取付部４２には、カムローラ（第２カム従動子）４４がそれぞれ突設されている。これらのカムローラ４４は、図３、図５に示したカム筒３４のカム溝４６に係合される。また、カムローラ４４は、その上端部がカム溝４６から突出されて、固定鏡胴１２の直進溝４７に係合されている。この直進溝４７も、ズームレンズ装置１０の撮影光軸Ｐと平行に形成された溝であり、直進溝３８に対してカム筒３４の周方向にオフセットした位置に形成されている。
【００２２】
一方、カム筒３４は固定鏡胴１２の内側で撮影光軸Ｐを中心に回動自在に配置されている。カム筒３４は、図１の如くその外周面にピン４８が突設され、ピン４８は、固定鏡胴１２に形成された図３のスリット５０を介して図１のズームリング１６に固定されている。図３のスリット５０は、撮影光軸Ｐに対して直交する面に沿って形成されたスリットであり、このスリット５０の長さ範囲内でズームリング１６が回動されると、これに伴いカム筒３４が撮影光軸Ｐを中心に回動される。これにより、レンズ保持枠３０がカム溝３６の軌跡に沿って且つ一方端３６Ａと他方端３６Ｂとの間で前後移動するとともに、レンズ保持枠４０がカム溝４６の軌跡に沿って且つ一方端４６Ａと他方端４６Ｂとの間で前後移動することにより、図２に示したワイド端と図３に示したテレ端の範囲でズーミングがなされる。
【００２３】
一方、図４の如くレンズ保持枠３０の外周部には、等間隔に逃げ溝５２が３カ所（図４では２カ所のみ図示）が形成されている。これらの逃げ溝５２は、レンズ保持枠３０とレンズ保持枠４０とが接近した時に、すなわち、テレ端時及びその近傍に接近した時に、レンズ保持枠４０に形成されたカムローラ取付部４２を図６の如く逃がす溝であり、それぞれカムローラ取付部４２に対応した大きさ及び形状に形成されている。
【００２４】
レンズ保持枠３０に逃げ溝５２が形成されているため、このままであると、レンズ保持枠３０が図１、図２に示したワイド端位置に位置していると、前方から入射した被写体光のうち鏡胴の内周面で反射等した有害光線が逃げ溝５２から後方に入射してゴーストが発生する問題が生じる。
【００２５】
そこで、実施の形態では、レンズ保持枠３０のワイド端位置において、逃げ溝５２を閉鎖する遮光リング（遮光部材）６０が設けられている。
【００２６】
遮光リング６０は、図４及び図７の如くレンズ保持枠３０の枠本体３１を逃がすためのリング部６１と、リング部６１の外周フランジ６２に等間隔で３カ所形成されてレンズ保持枠３０の逃げ溝５２をワイド端位置で閉鎖する遮蔽部６４と、遮蔽部６４にそれぞれ突設されたカムローラ６６とから構成されている。
【００２７】
遮光リング６０のカムローラ６６は、図３及び図５に示したカム筒３４のカム溝（第３カム溝）６８に係合される。また、カムローラ６６は、その上端部がカム溝６８から突出されて、固定鏡胴１２の直進溝７０に係合されている。この直進溝７０も、ズームレンズ装置１０の撮影光軸Ｐと平行に形成された溝であり、直進溝３８、４７に対してカム筒３４の周方向にオフセットした位置に形成されている。したがって、カム筒３４が回動されると、遮光リング６０は、レンズ保持枠３０、４０と連動し、カム溝６８の軌跡に沿って且つ一方端６８Ａと他方端６８Ｂとの間で前後移動するとともに、カムローラ６６がワイド端位置の一方端６８Ａに位置した際に、図７の如く遮蔽部６４がレンズ保持枠３０の逃げ溝５２に入り込む。これにより、逃げ溝５２から後方に入射する有害光線Ｑの後方への侵入を防止することができる。
【００２８】
以上の如く、実施の形態のズームレンズ装置１０によれば、レンズ保持枠３０、４０を移動させるカム筒３４によって遮光リング６０を移動させ、レンズ保持枠３０の逃げ溝５２を遮蔽部６４によって閉鎖するようにしたので、従来のような衝突音や振動を発生させることなく、逃げ溝５２から有害光線Ｑが後方に入射するのを防止することができる。
【００２９】
また、ズームレンズ装置１０では、遮光リング６０を共通のカム筒３４によって移動させたので、部品点数を大幅に増やすことなく遮光リング６０の移動機構を構成できる。
【００３０】
更にまた、カム筒３４のカム溝６８の他方端６８Ｂで規制される遮光リング６０のテレ端位置は、図６の如く被写体光の有効光路径を確保しつつ余計な外光を遮光してカム筒３４の内面反射によるフレアを防止する位置に規定されている。このようにカム溝６８の一方端６８Ａ及び他方端６８Ｂを規定することによって、ワイド端位置において逃げ溝５２からの有害光線Ｐの入射を防止することができるとともに、Ｆ値等を設定するための有効光路径を確保しつつ、余計な外光を遮光してカム筒３４の内面反射によるフレアを防止することができる。
【図面の簡単な説明】
【００３１】
【図１】本発明のレンズ装置が適用されたＥＮＧカメラ用ズームレンズ装置の一部破断部を含む側面図
【図２】ワイド端位置における各レンズ保持枠の位置を示した要部拡大断面図
【図３】テレ端位置における各レンズ保持枠の位置を示した要部拡大断面図
【図４】各レンズ保持枠と遮光リングとを示した斜視図
【図５】カム筒の展開図の要部拡大図
【図６】テレ端位置における各レンズ保持枠と遮光リングの位置を示した要部拡大断面図
【図７】ワイド端位置における各レンズ保持枠と遮光リングの位置を示した要部拡大断面図
【符号の説明】
【００３２】
１０…ＥＮＧカメラ用ズームレンズ装置、１２…固定鏡胴、１４…フォーカスリング、１６…ズームリング、１８…アイリスリング、２０…変倍レンズ群（第１移動レンズ）、２２…ピント補正レンズ群（第２移動レンズ）、２４…アイリス、２６…フォーカス鏡胴、２８…レンズ鏡胴、３０…レンズ保持枠、３２…カムローラ、３４…カム筒、３６…カム溝、３８…直進溝、４０…レンズ保持枠、４２…カムローラ取付部、４４…カムローラ、４６…カム溝、４７…直進溝、４８…ピン、５０…スリット、５２…逃げ溝、６０…遮光リング、６４…遮蔽部、６６…カムローラ、６８…カム溝（第３カム溝）、７０…直進溝
【図１】
2006215394.tif 000003
【図２】
2006215394.tif 000004
【図３】
2006215394.tif 000005
【図４】
2006215394.tif 000006
【図５】
2006215394.tif 000007
【図６】
2006215394.tif 000008
【図７】
2006215394.tif 000009